(57)【要約】【課題】スクリーン装置のスクリーン枠の縦方向の大きさが多少ずれても、可動框の下部がそれをガイドする下部ガイド上から外れることがないスクリーン装置を提供する。【解決手段】上部横枠２に吊られて移動する可動框２０の横移動に伴って、多数のガイド駒５１を屈曲自在に連結したスクリーンガイド５０が出入りする可動框の導出入部４０が、可動框の下端部にある本体部材４１と、それに対して上下動可能に保持されてスクリーンガイドを可動框内に導入する転向ガイド４２とを備える。該転向ガイドは、可動框に導入されるスクリーンガイドを転向させる傾斜曲面４２ｂを有し、また、スクリーン枠の下部のレール状の下部ガイド７に接する下面の幅方向両側に、下部ガイドの両側縁に係合して下部ガイド上から外れないようにするガイド壁４２ｆを有し、本体部材との間に設けられたバネ４４により下部ガイドに押し付けられて、それから外れるのを抑制される。【選択図】図１
2014088735.tif 000002
【特許請求の範囲】
【請求項１】
スクリーン枠の一方の側枠にスクリーンの一端を固定すると共に、スクリーンの他端を上記スクリーン枠の上部横枠に横移動をガイドされる可動框に固定し、上記スクリーンの下端をガイドするガイド駒の多数をそれぞれ屈曲自在に連結してなる可撓のスクリーンガイドの一端を、上記可動框の横移動に伴って該可動框内にその下端の導出入部から出入り可能とし、該スクリーンガイドの他端を上記側枠の下端に固定したスクリーン装置において、
上記スクリーン枠の下部に、上記可動框の下端及びスクリーンガイドの下面をガイドするレール状の下部ガイドを設け、
上記可動框の上端に設けた吊車を上部横枠のガイド面上において転動させるようにして該可動框を吊下し、
該可動框の下端に設けた上記スクリーンガイドの導出入部において、可動框の下端部に固定した本体部材に、上記スクリーンガイドにおける隣接ガイド駒が屈曲するのをガイドする傾斜曲面をもった上下動可能な転向ガイドを、バネの付勢力により上記下部ガイドに押付けるようにして保持させ、しかも、該転向ガイドにおける下部ガイドに接する下面の幅方向両側に、該下部ガイドの両側縁に係合して上記転向ガイドが下部ガイド上から外れないようにするガイド壁を設けている、
ことを特徴するスクリーン装置。
【請求項２】
上記スクリーンを左右一対のスクリーンにより形成し、上記スクリーン枠の上部横枠にガイドされたスクリーンの巻取りのためのスプリングを内蔵した巻軸を、上記一対のスクリーンの中間に位置させて、それらのスクリーンの各一端を取り付け、一方のスクリーンの他端は可動框に、他方のスクリーンの他端は上記スクリーン枠の側枠に固定し、
上記可撓のスクリーンガイドにおける各ガイド駒の底板下面の幅方向両側に、該下部ガイドの両側縁に係合して上記ガイド駒が下部ガイド上から外れないようにするためのガイド壁を設け、このスクリーンガイドに上記一対のスクリーン及び巻軸の下端をガイドさせた、
ことを特徴とする請求項１に記載のスクリーン装置。
【請求項３】
上記スクリーンガイドの導出入部における本体部材が、可動框の下端部に固定する固定部と、上記スクリーンガイドを導出入する導出入口と、該スクリーンガイドを可動框内の上部に出し入れする導通口と、上記転向ガイドを上下動自在に収容すると共に、上記スクリーンガイドのガイド駒を通過させるための空孔を形成する中間孔と、該本体部材に上記転向ガイドを上下動可能に支持するための支持構造とを有し、
上記導出入部における本体部材の支持構造により、上記転向ガイドを上記中間孔内において昇降自在に支持させ、該転向ガイドを、本体部材におけるスクリーンガイドの導出入口と、該スクリーンガイドを可動框内の上部に出し入れする導通口との間に、上記傾斜曲面が位置するように配している、
ことを特徴する請求項１または２に記載のスクリーン装置。
【請求項４】
上記各ガイド駒の底板の中心線方向の一端側が中央部において山形に突出し、逆に、該底板の他端側が中央部において上記山形とは逆の溝形に凹んでいて、隣接するガイド駒の底板を平らな面上において相互に接触させたときに、両ガイド駒の底板の端面がぴたりと一致するように形成している、
ことを特徴とする請求項１〜３のいずれかに記載のスクリーン装置。
【発明の詳細な説明】
【技術分野】
【０００１】
本発明は、スクリーン枠の一端に固定したスクリーンの他端を、横枠に沿って移動可能な可動框により横引きで開閉可能とし、上記スクリーンの下端を多数のガイド駒の連結により形成したスクリーンガイドによってガイドするようにしたスクリーン装置に関するものである。
【背景技術】
【０００２】
スクリーン枠の一方の側枠にスクリーンの一端を固定すると共に、該スクリーンの他端を、上記スクリーン枠の横枠に横移動をガイドされる可動框に固定し、上記スクリーンの下端をガイドするガイド駒の多数を、それぞれ屈曲自在に連結してなる可撓のスクリーンガイドの一端を、上記可動框の横移動に伴って上記側枠及び可動框の一方における下端から出入り可能とし、該スクリーンガイドの他端を、上記側枠及び可動框の他方における下端に固定したスクリーン装置は、例えば、特許文献１において既に知られている。
【０００３】
上記特許文献１に開示されているようなスクリーン装置において、可動框の横移動を円滑にするために、該可動框の上端に設けた吊車を上部横枠に設けたレール上において転動させるようにして該可動框を吊下すると、このスクリーン装置を設置する建物開口部等においてスクリーン枠の上下横枠が平行でない場合、或いは平行でなくなった場合に、上記可動框を円滑に操作できなくなる。即ち、例えば、上下いずれかの横枠のガイド面に部分的な上下変動があったり、建物自体の経年的変化により上下いずれかの横枠のガイド面の一部等に上下の傾きが生じた場合に、該可動框が上部横枠のガイド面を基準として横移動することから、該可動框の下端が横移動する部位に設けられている下部ガイドから浮上して、可動框が該下部ガイドから外れ、下部ガイドに沿って可動框を円滑に移動させることができなくなる。また、それに伴って、下部ガイドにガイドさせているスクリーンガイドも、下部ガイドから外れる可能性があり、この場合にはスクリーン装置に部分的な破損が生じることもある。
【先行技術文献】
【特許文献】
【０００４】
【特許文献１】特許第４９５６２３６号公報
【発明の概要】
【発明が解決しようとする課題】
【０００５】
本発明の技術的課題は、可動框の上端に設けた吊車を上部横枠に設けたレール上において転動させ、上記スクリーンの下端を多数のガイド駒の連結により形成したスクリーンガイドによってガイドするようにしたスクリーン装置において、可動框の下端にある下部ガイドが平坦でなくても、上記可動框の下端やスクリーンガイドが下部ガイド上から外れたりすることがなく、該下部ガイドに沿って安定的に摺動できるようにしたスクリーン装置を提供することにある。
【課題を解決するための手段】
【０００６】
上記課題を解決するために、本発明によれば、スクリーン枠の一方の側枠にスクリーンの一端を固定すると共に、スクリーンの他端を上記スクリーン枠の上部横枠に横移動をガイドされる可動框に固定し、上記スクリーンの下端をガイドするガイド駒の多数をそれぞれ屈曲自在に連結してなる可撓のスクリーンガイドの一端を、上記可動框の横移動に伴って該可動框内にその下端の導出入部から出入り可能とし、該スクリーンガイドの他端を上記側枠の下端に固定したスクリーン装置において、上記スクリーン枠の下部に、上記可動框の下端及びスクリーンガイドの下面をガイドするレール状の下部ガイドを設け、上記可動框の上端に設けた吊車を上部横枠のガイド面上において転動させるようにして該可動框を吊下し、該可動框の下端に設けた上記スクリーンガイドの導出入部において、可動框の下端部に固定した本体部材に、上記スクリーンガイドにおける隣接ガイド駒が屈曲するのをガイドする傾斜曲面をもった上下動可能な転向ガイドを、バネの付勢力により上記下部ガイドに押付けるようにして保持させ、しかも、該転向ガイドにおける下部ガイドに接する下面の幅方向両側に、該下部ガイドの両側縁に係合して上記転向ガイドが下部ガイド上から外れないようにするガイド壁を設けていることを特徴するスクリーン装置が提供される。
【０００７】
本発明のスクリーン装置の好ましい実施形態においては、上記スクリーンを左右一対のスクリーンにより形成し、上記スクリーン枠の上部横枠にガイドされたスクリーンの巻取りのためのスプリングを内蔵した巻軸を、上記一対のスクリーンの中間に位置させて、それらのスクリーンの各一端を取り付け、一方のスクリーンの他端は可動框に、他方のスクリーンの他端は上記スクリーン枠の側枠に固定し、上記可撓のスクリーンガイドにおける各ガイド駒の底板下面の幅方向両側に、該下部ガイドの両側縁に係合して上記ガイド駒が下部ガイド上から外れないようにするためのガイド壁を設け、このスクリーンガイドに上記一対のスクリーン及び巻軸の下端をガイドさせたものとして構成することができる。
【０００８】
また、本発明のスクリーン装置の他の好ましい実施形態においては、上記スクリーンガイドの導出入部における本体部材が、可動框の下端部に固定する固定部と、上記スクリーンガイドを導出入する導出入口と、該スクリーンガイドを可動框内の上部に出し入れする導通口と、上記転向ガイドを上下動自在に収容すると共に、上記スクリーンガイドのガイド駒を通過させるための空孔を形成する中間孔と、該本体部材に上記転向ガイドを上下動可能に支持するための支持構造とを有し、上記導出入部における本体部材の支持構造により、上記転向ガイドを上記中間孔内において昇降自在に支持させ、該転向ガイドを、本体部材におけるスクリーンガイドの導出入口と、該スクリーンガイドを可動框内の上部に出し入れする導通口との間に、上記傾斜曲面が位置するように配しているものとして構成される。
【０００９】
更に、本発明のスクリーン装置の好ましい実施形態においては、上記各ガイド駒の底板の中心線方向の一端側が中央部において山形に突出し、逆に、該底板の他端側が中央部において上記山形とは逆の溝形に凹んでいて、隣接するガイド駒の底板を平らな面上において相互に接触させたときに、両ガイド駒の底板の端面がぴたりと一致するように形成される。
【発明の効果】
【００１０】
上述した本発明に係るスクリーン装置によれば、可動框の上端に設けた吊車を上部横枠に設けたレール上において転動させ、上記スクリーンの下端を多数のガイド駒の連結により形成したスクリーンガイドによってガイドするようにしたスクリーン装置において、可動框の下端にある下部ガイドが平坦でなくても、上記可動框の下端やスクリーンガイドが下部ガイド上から外れたりすることがなく、該下部ガイドに沿って安定的に摺動できるようにしたスクリーン装置を得ることができる。
【図面の簡単な説明】
【００１１】
【図１】本発明に係るスクリーン装置の実施例を示す部分破断正面図である。
【図２】図１におけるＸ−Ｘ位置での側断面図である。
【図３】上記スクリーン装置の平断面図である。
【図４】上記スクリーン装置における可動框の下端部の断面図であり、（ａ）は転向ガイド４２が最上位にある場合、（ｂ）は同最下位にある場合を示している。
【図５】上記スクリーン装置における可動框の下部の導出入部の分解図であって、（ａ）は分解側断面図、（ｂ）は分解正面図である。
【図６】上記スクリーン装置のスクリーンガイドの構成を示し、（ａ）は該スクリーンガイドの平面図、（ｂ）は該スクリーンガイドの側断面図である。
【図７】上記スクリーン装置におけるスクリーンガイドのガイド駒の形態を示し、（ａ）は正面図、（ｂ）は平面図、（ｃ）は底面図、（ｄ）は右側面図である。
【図８】上記ガイド駒の斜視図である。
【発明を実施するための形態】
【００１２】
以下に、本発明に係るスクリーン装置を、図面に基づいて詳細に説明する。なお、以下に説明する実施形態は、本発明に係るスクリーン装置を主として防虫網戸に適用する場合について説明するが、防虫を目的とするものに限定されず、防塵、遮光、断熱又は目隠し等を目的としたスクリーン装置にも適用することができる。
【００１３】
図１〜図３に示すように、本発明に係るスクリーン装置は、建物開口部等に設置するスクリーン枠１の上部横枠２にガイドされて横移動可能で、防虫用のネットからなるスクリーンの一端が固定されている可動框２０及びスクリーンの巻取機能を有する巻軸３０とを有している。該巻軸３０は、一対のスクリーン１０Ａ，１０Ｂの中間に位置して巻取りスプリング３１を内蔵し、両スクリーン１０Ａ，１０Ｂを二重に巻き取るもので、上記可動框２０には該巻軸３０のスプリング３１によってスクリーンの開方向の付勢力が作用している。なお、上記一対のスクリーン１０Ａ，１０Ｂ及び巻軸３０に代えて、側枠３内に設けた巻軸に単一のスクリーンを巻き取り、該スクリーンの多端に上記可動框２０を取り付けたものとして構成することもできる。
【００１４】
上記スクリーン装置において、上記スクリーン１０Ａは、一端が上記可動框２０に固定され、また、上記スクリーン１０Ｂは、一端がスクリーン枠１の側枠３に固定され、両スクリーンの他端はいずれも上記巻軸３０に巻き取られるものである。上記スクリーン１０Ａ，１０Ｂの下端及び上記巻軸３０の下端は、いずれも、複数のガイド駒５１を連結して形成したスクリーンガイド５０の上に横移動自在に収容されている。
【００１５】
上記スクリーン枠の上部横枠２は、図２に示すように、その長手方向に沿う前後両側に下方に伸びる一対の垂下壁２ａを有し、該垂下壁２ａ内のレール２ｂ上に、上記可動框２０及び巻軸３０の上端部に設けた吊車２０ａ及び吊車３０ａを転動するようにして、それらが横移動自在に吊られている。更に、上記スクリーン枠１は、上記スクリーン１０Ｂの一端が固定された側枠３に対向させて、スクリーンを展張したときに上記可動框２０が衝合する受け枠４が配設され、可動框２０との間にそれらの衝合時に相互に係合するラッチ機構を備えている。
一方、上記スクリーン枠の下部に設けたレール状の下部ガイド７は、その上を上記スクリーンガイド５０の各ガイド駒５１及び可動框２０の下端を摺動させるもので、それらの摺動の態様については詳細に後述する。
【００１６】
次に、上記スクリーンガイド５０の構成について、図６〜図８を参照して詳細に説明する。上記スクリーンガイド５０は、図７及び図８に示すガイド駒５１の多数を連接したもので、それぞれのガイド駒５１は同じ形状を有し、上記スクリーン１０Ａ，１０Ｂ、及び巻軸３０の下端を保持するように、底板５１ａと、該底板５１ａの両端にある立壁５１ｄとにより、中心線に関して対称な溝形状を有し、上記底板５１ａ及び立壁５１ｄの内表面は上記スクリーン１０Ａ，１０Ｂ及び巻軸３０の下端が円滑に摺動できるように平滑な面に形成されている。
【００１７】
上記ガイド駒５１の底板５１ａは、その中心線方向に凸形の一端側６１ａ（以下、これを前面側と呼ぶ。）が中央部において山形に突出し、逆に、底板５１ａの他端側６１ｂ（以下、これを後面側と呼ぶ。）は、中央部において上記山形とは逆の溝形に凹んでいる。そして、隣接するガイド駒５１の底板５１ａを平らな面上において上記一端側６１ａと他端側６１ｂとを相互に突き当てると、両ガイド駒５１の底板５１ａの端面がぴたりと一致するように形成し、このような状態でガイド駒５１を連結すると、図６（ａ）のスクリーンガイド５０が紙面内において湾曲しない状態に形成され、そのため、巻軸３０の下端をこのスクリーンガイド５０において保持させた場合には、スクリーンに対して風等の作用があってもそれに対向できる強度をスクリーンガイド５０により保たせることができる。また、上記底板５１ａの裏面の中央部には、内部に可撓性のワイヤー５４を通すための通孔５１ｃが設けられた凸部５１ｂが形成されている。
【００１８】
上記ガイド駒５１の立壁５１ｄは、底板５１ａより上の部分において外側片と内側片とが接合された形態を有し、該立壁５１ｄの前面側には内側片が突出する凸部５１ｅが、後面側には内側片が後退した凹部５１ｆがあり、隣接する両ガイド駒５１の底板５１ａの端面をぴたりと一致させたとき、上記前面側の内側片の凸部５１ｅが隣接するガイド駒５１の後面側の内側片の凹部５１ｆに嵌り込み、その状態では、隣接するガイド駒５１がそれぞれ上に凹になる方向には屈曲自在で、この場合には突出する内側片及び底板５１ａのずれ動きによる部分的な当接で屈曲範囲が制限されるが、逆方向には、上記突出及び後退した内側片の周縁並びに底板５１ａの端面の接触によって相互に屈曲しないように形成されている。
【００１９】
上記ガイド駒５１の立壁５１ｄの下部には、上記底板５１ａよりも下方に伸びて、このガイド駒５１を連接したスクリーンガイド５０がレール状の下部ガイド７に沿ってその上を移動するとき、該下部ガイド７の両側縁に係合して該下部ガイドから脱線するのを抑止するガイド壁５１ｇを凸設している。従って、特別の外乱がない限り、上記ガイド壁５１ｇによりガイド駒５１がレール状の下部ガイド７から外れることがなく、上記スクリーンガイド５０はレール状の下部ガイド７に沿って安定的に走行することになる。また、上記各ガイド駒５１の底板５１ａの下面には、その前面側から後面側に向けて小さい突条５１ｈを設けている。この突条５１ｈは、上記ガイド駒５１を下部ガイド７の平坦な上面に沿って摺動させるとき、格別の抵抗を受けることなく円滑に摺動させるために有効なものである。
なお、上記ガイド駒５１の底板５１ａの中央に形成された凸部５１ｂは、上記下部ガイド７の中央にある窪み内に収まるようにするなど、それが障害になるのを避ける必要がある。
【００２０】
図１及び図６に示すように、上記スクリーンガイド５０の一端側において、連接したガイド駒５１の端部に連結しているバネ保持部材５２は、上記可動框２０の下端の導出入部４０から該可動框２０内に導出入するスクリーンガイド５０の一端側に連結したもので、該バネ保持部材５２は、上記スクリーンガイド５０を構成する多数のガイド駒５１における通孔５１ｃに挿通したワイヤー５４に緊張力を与えるためのバネ５３を保持できるように構成している。即ち、該バネ保持部材５２は、その先端部にバネ５３の一端を固定するネジ５２ａが螺挿され、反対側の基端には上記バネ５３で引張するワイヤー５４を通すための通孔５２ｂが設けられ、該バネ保持部材５２自体は上記バネ５３を保持させるに必要な長さに形成されている。上記スクリーンガイド５０は、上記可動框２０が横移動するのに伴って、該可動框２０の下端の導出入部４０から該可動框２０内に出入りするものである。
【００２１】
上記スクリーンガイド５０は、各ガイド駒５１における前記通孔５１ｃに一連のワイヤー５４を挿通したうえで、側枠３の下端の端蓋６０に該ワイヤー５４の一端を固定し（図６参照）、該ワイヤー５４の他端を、上記バネ保持部材５２に隣接したガイド駒５１の通孔５１ｃに挿通したうえで、更に上記バネ保持部材５２の通孔５２ｂに挿通し、その先端に取り付けた掛け具５６に、一端を上記ネジ５２ａでバネ保持部材５２に取り付けたバネ５３の他端を連結している。そのため、上記バネ保持部材５２、多数のガイド駒５１の各連結端相互間、及び上記端蓋６０との間が、上記バネ５３の付勢力で互いに圧接された状態に保持され、ガイド駒５１が相互に直線状をなす状態で強固に結合される。
【００２２】
なお、上記バネ保持部材５２のスクリーンガイド５０が連結される基端側は、該バネ保持部材５２に隣接するガイド駒５１の底板５１ａの前面側と隙間無く接し、また、上記バネ保持部材５２の基端側には、バネ保持部材５２に隣接するガイド駒５１の底板５１ａの表面と連結する連結片５２ｃが設けられている。
【００２３】
一方、上記スクリーンガイド５０の他端の固定は、図６に示すように、上記側枠３の下端の端蓋６０の底板６０ａにおけるスクリーンガイド５０との連結端６０ｂを、該スクリーンガイド５０の端部ガイド駒５１における底板５１ａ及び立壁５１ｄの連結端と密接するような形態に形成し、また、上記端蓋６０の底板６０ａの下面には、ガイド駒５１における底板下面の通孔５１ｃを有する凸部５１ｂと同様な形態の通孔６０ｄ及び凸部６０ｃを設けている。上記底板６０ａの通孔６０ｄは、ガイド駒５１の通孔５１ｃに連通したうえで、該ガイド駒５１の通孔５１ｃに挿通したワイヤー５４の端部を挿入して、その先端に固定リング６０ｅを圧嵌することにより、ワイヤー５４の端部を固定するものである。従って、上記バネ保持部材５２に一端を固定した上記バネ５３の付勢力により、ワイヤー５４を介して連接された多数のガイド駒５１が、上記バネ保持部材５２と上記端蓋６０との間で相互に押圧されることになる。
【００２４】
このように、隣接するガイド駒５１同士がバネ５３により互いに押圧されると、ガイド駒５１間に余分な隙間ができないだけでなく、多数のガイド駒５１が整然と整列することになり、そのため、上記可動框２０に出入りするガイド駒５１が該可動框２０の一部に引っ掛かったりすることがなく、上記可動框２０が円滑に上記下部ガイド７上を横移動することが可能となる。また、上記バネ保持部材５２、ガイド駒５１、端蓋６０が直線状に連接され、多数のガイド駒５１が上記下部ガイド７上に直線状に配設し、しかも、その直線配列に保持する保持力を高くすることができる。
【００２５】
上記スクリーンガイド５０は、可動框２０の下端部にある導出入部４０を通して該可動框に出入り可能なものであるが、該導出入部４０は、図４及び図５から分かるように、可動框２０の下端部に固定した本体部材４１と、上記スクリーンガイド５０が可動框２０に出入りする際に隣接ガイド駒５１が屈曲するのをガイドする傾斜曲面４２ｂをもった転向ガイド４２とを備えている。上記本体部材４１は、可動框２０内にボルト４５によって固定されたものであり、該本体部材４１には、上記転向ガイド４２の抜止め４３ａを下端に有する支持棒４３を、本体部材４１内において下方に突出するように固定して、上記転向ガイド４２の支持部４２ａを該支持棒４３に沿って昇降するようにガイドさせ、該支持棒４３に外嵌させて本体部材４１と転向ガイド４２との間に配設したバネ４４の付勢力により、該転向ガイド４２が下方に押圧させている。
【００２６】
図４（ａ）は、上記転向ガイド４２の支持棒挿入部４２ｃの上端が本体部材４１に当接した最上位置にある状態を示し、図４（ｂ）は、上記転向ガイド４２がバネ４４の付勢力により最下位置である支持棒４３の抜止め４３ａに当接した状態を示し、両図の範囲内で下部ガイド７の高さの変動に対して転向ガイド４２の位置を追随させることができる。
【００２７】
上記導出入部４０の構成について具体的に説明すると、該導出入部４０の本体部材４１は、該本体部材４１を上記可動框２０の下端部にボルト４５によって固定するための固定部４１ａと、上記スクリーンガイド５０を導出入する導出入口４１ｂと、該スクリーンガイド５０を可動框２０内の上部に出し入れする導通口４１ｃと、上記転向ガイド４２を上下動自在に収容すると共に、上記スクリーンガイド５０のガイド駒５１を通過させるための空孔を形成する中間孔４１ｄと、該本体部材４１に上記転向ガイド４２を上下動可能に支持するための上記支持棒４３を固定する支持棒固定部４１ｅとを有している。
【００２８】
上記導出入部４０の本体部材４１に対してバネ４４の付勢力により下方に押圧された転向ガイド４２は、その下面が常に上記下部ガイド７に接する位置にあり、本体部材４１におけるスクリーンガイド５０の導出入口４１ｂと、該スクリーンガイド５０を可動框２０内の上部に出し入れする導通口４１ｃとの間に配設される傾斜曲面４２ｂを有している。この傾斜曲面４２ｂは、スクリーンガイド５０が屈曲して転向するのに適した円弧状面により構成され、該傾斜曲面４２ｂの導出入口４１ｂ側の下端は、下部ガイド７に接するような曲面に形成され、また、該傾斜曲面４２ｂの上端側は、上記本体部材４１の導通口４１ｃに接するように形成されている。更に、上記転向ガイド４２の下部ガイド７に接する下面の幅方向両側には、該下部ガイド７の両側縁に係合して常に上記転向ガイド４２が下部ガイド７上から脱出しないようにするためのガイド壁４２ｆを設けている。
【００２９】
上記可動框２０は、上端が吊車２０ａにより上部横枠２に吊下されているため、下部ガイド７が平坦面上に設けられていないとき、つまり、上部横枠２のレール２ｂの表面と下部ガイド７の表面との間の長さに部分的な変動がある場合には、下部ガイド７の凹凸に応じて可動框２０が該下部ガイド７に対して昇降し、可動框２０の下端のガイドが不安定になるが、上述したように、可動框２０の下端の導出入部４０における本体部材４１に、バネ４４の付勢力により下方に押圧された転向ガイド４２を設けているので、該転向ガイド４２により下部ガイド７上を移動するスクリーンガイド５０を円滑に可動框２０内に導出入できるばかりでなく、上記ガイド壁５１ｇの存在により可動框２０の下端を常に安定的に下部ガイド７によりガイドさせることができる。
【００３０】
以上、本発明に係るスクリーン装置について説明してきたが、本発明に係るスクリーン装置は上記の実施形態に限定されることなく、特許請求の範囲の趣旨を逸脱しない範囲で様々な設計変更が可能であることは言うまでもない。
【符号の説明】
【００３１】
２                上部横枠
３                側枠
４                受け枠
７                下部ガイド
１０Ａ，１０Ｂ      スクリーン
２０                可動框
３０                巻軸
４０                導出入部
４１                本体部材
４２                転向ガイド
４２ｂ              傾斜曲面
４３                支持棒
４４                バネ
５０                スクリーンガイド
５１                ガイド駒
５４                ワイヤー
６０                端蓋
【図１】
2014088735.tif 000003
【図２】
2014088735.tif 000004
【図３】
2014088735.tif 000005
【図４】
2014088735.tif 000006
【図５】
2014088735.tif 000007
【図６】
2014088735.tif 000008
【図７】
2014088735.tif 000009
【図８】
2014088735.tif 000010